(57)【特許請求の範囲】
【請求項１】
受信された患者識別子に応答して、前記患者識別子に応じて取得された少なくとも１つの長期的に追跡された病変についての特徴的な情報の表示を構築し、取得されたレポートの時間的な識別子を前記特徴的な情報と比較することにより、少なくとも１つの欠落した測定値のインジケータを構築するよう構成され、各前記レポートは、前記患者識別子についての少なくとも１つのレポートされた病変の測定値を持つ文章を含む、病変追跡ユニットと、
各前記長期的に追跡された病変についての前記特徴的な情報の前記構築された表示と、前記少なくとも１つの欠落した測定値のインジケータと、を表示するように構成された、表示装置と、
を有する、長期的追跡システム。
【請求項２】
前記少なくとも１つの欠落した測定値を見出すための示唆に応答して、少なくとも１つのレポートの文章を解析し、文節及び段落のヘッダを識別するよう構成された、文書解析エンジンと、
前記解析された文の句をオントロジーにマッピングするよう構成された、概念抽出エンジンと、
前記解析された文における測定値を識別し正規化するよう構成された、測定値エンジンと、
を更に含む、請求項１に記載のシステム。
【請求項３】
各前記識別された測定値についての時間的な識別子を識別するよう構成された、時間分解エンジン
を更に含む、請求項２に記載のシステム。
【請求項４】
各前記識別された測定値について前記識別された時間的な識別子は、レポートの時間的な識別子又は別のレポートの時間的な識別子の少なくとも１つを含む、請求項３に記載のシステム。
【請求項５】
各前記識別された測定値について前記識別された時間的な識別子と、
前記識別された段落及び文節のヘッダ、
前記マッピングされた句、
前記解析された文からの意味論的な意味、
別の時間的な識別子から追跡された測定値との測定値の比較、又は
画像の参照
のうちの少なくとも１つと、
に基づいて、前記少なくとも１つの欠落した測定値に、前記識別された測定値を関連付けるよう構成された、制御エンジン
を更に含む、請求項４に記載のシステム。
【請求項６】
前記病変追跡ユニットは更に、各前記長期的に追跡された病変についての前記特徴的な情報と、前記関連付けられた測定値と、の表示を構築するよう構成された、請求項５に記載のシステム。
【請求項７】
前記測定値は、画像スライスからとられた病変の第１の最長の長さと、前記第１の最長の長さに直交する第２の最長の長さと、を含む、請求項１乃至６のいずれか一項に記載のシステム。
【請求項８】
前記時間分解エンジンは更に、前記文章に基づいて、前記文章における１つ以上の参照される画像についての時間的な識別子を識別するよう構成された、請求項３を直接的又は間接的に引用する請求項６又は７のいずれか一項に記載のシステム。
【請求項９】
前記病変追跡ユニットは更に、
前記関連付けられた測定値の１つを含むレポートの文章の断片、及び
前記関連付けられた測定値の１つに対応する参照される画像
をうち少なくとも一方を、前記関連付けられた測定値に基づいて表示するよう構成された、請求項６乃至８のいずれか一項に記載のシステム。
【請求項１０】
前記病変追跡ユニットは、前記関連付けられた測定値による前記少なくとも１つの長期的に追跡された病変の更新を確認する示唆に応答して、前記関連付けられた測定値及び前記識別された時間的な識別子をデータ保存部に保存するよう構成された、請求項３を直接的又は間接的に引用する請求項６乃至９のいずれか一項に記載のシステム。
【請求項１１】
受信された患者識別子に応答して、前記患者識別子に応じて取得された少なくとも１つの長期的に追跡された病変についての特徴的な情報の構築された表示と、取得されたレポートの一時的な識別子を前記特徴的な情報と比較することにより決定された少なくとも１つの欠落した測定値のインジケータと、を表示装置に表示するステップを含み、各前記レポートは、前記患者識別子についての少なくとも１つのレポートされた病変の測定値を持つ文章を含む、長期的追跡の方法。
【請求項１２】
前記少なくとも１つの欠落した測定値を見出すための示唆に応答して、前記少なくとも１つのレポートの文章を複数の文へと解析し、文章及び段落のヘッダを識別するステップと、
前記解析された文の句をオントロジーへとマッピングするステップと、
前記解析された文における測定値を識別し正規化するステップと、
を更に含む、請求項１１に記載の方法。
【請求項１３】
各前記識別された測定値についての時間的な識別子を識別するステップを更に有する、請求項１２に記載の方法。
【請求項１４】
各前記識別された測定値について前記識別された時間的な識別子と、
前記識別された段落及び文節のヘッダ、
前記マッピングされた句、
前記解析された文からの意味論的な意味、
別の時間的な識別子から追跡された測定値との測定値の比較、又は
画像の参照
のうちの少なくとも１つと、
に基づいて、前記少なくとも１つの欠落した測定値に、前記識別された測定値を関連付けるステップを更に含む、請求項１３に記載の方法。
【請求項１５】
前記識別するステップは、前記文章に基づいて、前記文章における１つ以上の参照される画像についての時間的な識別子を識別するステップを更に含む、請求項１３又は１４に記載の方法。
【発明の詳細な説明】
【技術分野】
【０００１】
本発明は、一般的に、医療的な長期的な追跡システムに関し、病変又は固形腫瘍の追跡に対する具体的な応用と共に説明される。
【背景技術】
【０００２】
病変追跡は、時間経過に伴う処置の効果を評価し、癌性腫瘍のような病変がどのように処置に反応するかを評価するために用いられる。時間経過に応じた悪性と識別された病変における変化に基づいて、固形癌の治療効果判定のためのガイドライン（Response Evaluation Criteria in Solid Tumor（ＲＥＣＩＳＴ）のようなガイドラインに従って、健康管理医によって決定が為される。これらの決定は、個々の病変の長期的に追跡された測定に基づいた特定の患者のための処置を変更し得る。
【０００３】
病変の測定は、ＣＴ（Computed Tomography）スキャナのような画像装置又はスキャナにより得られた患者の医療画像から、健康管理の専門家により行われる。該健康管理の専門家又は放射線医が、医療画像を評価して、病変のタイプを決定し、該測定に応じて、例えば処置間隔のような、画像の時点における病変の特性を記述し、変化を識別又は強調するための以前の測定との比較を含んでも良い、レポートを口述する。研究臨床従事者のような健康管理医は一般に、該レポートを受けて、表計算プログラムのような追跡システムにおいて選択インデクス病変を入力する。
【発明の概要】
【発明が解決しようとする課題】
【０００４】
病変追跡システムは、一般には任意のものである。即ち、放射線医は、追跡システムに測定結果を入力することなく、レポートを口述及び作成しても良い。多組織的な実務及び時間のプレッシャーのため、後続する健康管理医は、以前の調査結果を再閲覧して、欠落した測定値を得ることをしない。欠落した測定値があると、病変追跡の有用性は低減する。欠落した測定値があると、長期的な追跡計算が実行されることができない。値の入力を必要とする一般的なシステムの手法は、実用的ではない。例えば、データ入力の強制は、多組織的なサポートと施行を必要とし、組織間にシステム統合の問題を生じる。他の一般的なシステム手法は、データマイニング（data mining）手法においてしばしば用いられるもののような、データロードにおいて用いられる抽出、変換及びロード（ＥＴＬ）プログラムを用いる。データロードは一般に、所定の間隔で構造化されたデータと共に実行される。データ値の専門家による評価なくロードを容易化するため、データについて仮定が為される。異なる放射線源、部署又は異なる組織により開始されたレポートを用いる場合、レポートの調達を管理することさえも困難である。
【０００５】
放射線レポートは一般に、電子的に提出／保存される。一例が、図１に示される。例えば患者の処置間隔に一般に対応する日付のような、各評価時点について、別個のレポートが発行される。レポートは、構造化されていない文章５を含み、該文章は見出しを含み、典型的には病変のそれぞれの現在と過去の測定値を比較する。形式、組織、測定のユニット及び各病変の記述は、同じ患者についても或るレポートと次のレポートとで異なり、患者毎にも異なり、健康管理医及び／又は健康管理組織によっても異なり得る。
【課題を解決するための手段】
【０００６】
ここで記載される態様が、上述した問題及びその他の問題に対処する。
【０００７】
一態様においては、長期的追跡システムは、病変追跡ユニット及び表示装置を含む。受信された患者識別子に応答して、前記病変追跡ユニットは、前記患者識別子に応じて取得された少なくとも１つの長期的に追跡された病変についての特徴的な情報の表示を構築し、取得されたレポートの時間的な識別子を前記特徴的な情報と比較することにより、少なくとも１つの欠落した測定値の識別子が決定され、各前記レポートは、前記患者識別子についての少なくとも１つのレポートされた病変の測定値を持つ文章を含む。前記表示装置は、各前記長期的に追跡された病変についての前記特徴的な情報の前記構築された表示と、前記少なくとも１つの欠落した測定値のインジケータと、を表示する。
【０００８】
他の態様においては、長期的追跡の方法は、受信された患者識別子に応答して、前記患者識別子に応じて取得された少なくとも１つの長期的に追跡された病変についての特徴的な情報の構築された表示と、取得されたレポートの一時的な識別子を前記特徴的な情報と比較することにより決定された少なくとも１つの欠落した測定値のインジケータと、を表示装置に表示するステップを含み、各前記レポートは、前記患者識別子についての少なくとも１つのレポートされた病変の測定値を持つ文章を含む。
【０００９】
他の態様においては、長期的追跡システムは、受信された患者識別子に応答して、前記患者識別子に応じて取得された少なくとも１つの長期的に追跡された病変についての特徴的な情報の構築された表示と、取得されたレポートの一時的な識別子を前記特徴的な情報と比較することにより決定された少なくとも１つの欠落した測定値のインジケータと、を表示装置に表示する、１つ以上のデータプロセッサを含み、各前記レポートは、前記患者識別子についての少なくとも１つのレポートされた病変の測定値を持つ文章を含む。前記１つ以上のデータプロセッサは、前記少なくとも１つの欠落した測定値を見出すための示唆の受信に応答して、各前記長期的に追跡された病変についての特徴的な情報の表示を、前記少なくとも１つの欠落した測定値に対応する見出された測定値、及び前記レポートの文章において見出された測定値によって更新する。
【００１０】
一例においては、欠落した測定値を見出すことは、追跡される病変についての、より完全な長期的な情報を提供する。より完全な長期的な情報は、健康管理医による、長期的な情報の閲覧を支援し、追跡される病変を持つ患者に関する、より情報通知された意志決定をもたらす。一例においては、継続的な任意の測定値の入力が継続する。
【００１１】
本発明は、種々の構成要素及び構成要素の配置、並びに種々のステップ及びステップの配置の形をとり得る。図面は単に好適な実施例を説明する目的のためのものであり、本発明を限定するものとして解釈されるべきではない。
【図面の簡単な説明】
【００１２】
【図１】先行技術の、病変を伴う患者についての放射線レポートの例を示す。
【図２】長期的所見表示システムの自動生成を伴う欠損した所見の検出の実施例を模式的に示す。
【図３】時間的に関連した異なる測定を伴う３つの文章レポート断片の例を示す。
【図４】長期的所見表示システムの自動生成を伴う欠損した所見の検出の表示の例を示す。
【図５】長期的所見表示の自動生成を伴う欠損した所見の検出の方法の例のフロー図を示す。
【発明を実施するための形態】
【００１３】
最初に図２を参照すると、長期的所見表示システム１０の自動生成を伴う欠損した所見の検出の実施例が、模式的に示されている。レポートデータ記憶部１２は、所見をレポートする放射線レポートを含む。レポートの文章５の例が、図１に示されている。各レポートは、患者の識別子、及び病変の検査又は撮像の日付のレポート時間識別子（例えば患者の画像からの検査の日付）を含む。該レポートは、ＣＴスキャナ、磁気共鳴（ＭＲ）スキャナ、陽電子放出型断層撮影（ＰＥＴ）スキャナ、単光子放射型コンピュータ断層撮影（ＳＰＥＣＴ）、これらの混合、組み合わせ等のような、撮像装置１６からの患者画像１４の測定に基づいて生成される。患者画像１４は、画像保管通信システム（ＰＡＣＳ）、部門の放射線科情報システム（ＲＩＳ）、病院情報システム（ＨＩＳ）等に保存されていても良い。レポート１２は、同じシステムに保存されても良いし、又は別個のデータ記憶部に保存されても良い。
【００１４】
病変追跡ユニット１８は、各患者について識別された病変についての特徴的な情報を保存する。各病変について、記述及び測定結果のような病変の特徴が、各時間的に示唆された測定時間に応じて、測定結果と共に保存される。例えば、１４ｍｍの最大長、及び該最大長に直交する１３．９ｍｍの第２の長さを持つ、ＣＴ画像スライスにおいて測定された低濃度肝臓病変の測定結果が、第１の日付と共に保存される。第２の日付については、測定はそれぞれ１６．９ｍｍ及び１５．２ｍｍである。各患者について記録されたデータは、複数の病変を含んでも良い。
【００１５】
データ保存部１２、１４、１８は、ファイルシステム、データベース管理システム、要素定義、オブジェクト定義等のような、データ組織を含んでも良い。データ保存部は、ディスク記憶装置、固体記憶装置、サーバ記憶装置、ローカル記憶装置、クラウド記憶装置等のような、ローカル及び／又はリモートの持続型記憶媒体を含む。データ保存部は、電子データプロセッサ、光学データプロセッサ、マイクロプロセッサ、コンピュータプロセッサ等のような、少なくとも１つのデータプロセッサ２０に通信可能に接続されている。データプロセッサ２０は、デスクトップ型コンピュータ、ラップトップ型コンピュータ、携帯型コンピュータ装置、スマートフォン、身体装着型コンピュータ装置のようなコンピュータ装置２２、又は、ウェブサーバ若しくはその他のタイプのアプリケーションサーバにより支援を受けるコンピュータ装置のような分散型コンピュータ装置を有する。コンピュータ装置２２は、表示装置２４と、キーボード、マウス、マイクロフォン等のような、１つ以上の入力装置２６と、を含む。
【００１６】
ここで用いられる「ディスプレイ」又は「表示装置」とは、画像又はデータを表示するよう構成された出力装置又はユーザインタフェースを含む。ディスプレイは、視覚的、聴覚的、及び／又は触覚的なデータを出力しても良い。ディスプレイの例は、コンピュータモニタ、テレビジョン画面、タッチ画面、触知型電子ディスプレイ、ベクトルディスプレイ、フラットパネルディスプレイ、真空蛍光ディスプレイ（ＶＦ）、発光ダイオード（ＬＥＤ）ディスプレイ、エレクトロルミネセンスディスプレイ（ＥＬＤ）、プラズマディスプレイパネル（ＰＤＰ）、液晶ディスプレイ（ＬＣＤ）、有機発光ダイオードディスプレイ（ＯＬＥＤ）、プロジェクタ、身体装着型ディスプレイ等を含む。
【００１７】
病変追跡ユニット２８は、患者識別子の受信に応答して、識別された患者について、及び例えば追跡された以前の検査測定結果の日付のような保存された時間的な識別子について、病変追跡データ保存部１８から、追跡される病変についての特徴的な情報を受信する。病変追跡ユニット２８は、レポートデータ保存部１２からレポートを受信し、レポートの時間的な識別子を識別する。レポートの患者識別子及びレポートの時間的識別子は、ファイル記述子又はメタデータに配置され、及び／又は、レポートの構造化されていない文章に配置される。例えば、ファイル名及び／又はファイルメタデータが、患者識別子及び画像検査の日付の両方を含んでも良い。
【００１８】
病変追跡ユニット２８は、例えば追跡される病変データにおいて見出されないレポートの時間的識別子、又は測定結果が存在しない追跡される病変の時間的識別子のような、受信された各レポートの識別された時間的識別子に基づいて、追跡される病変データにおける欠損した時間的識別子を識別する。病変追跡ユニット２８は、各欠損した測定値の特徴的なデータ及び識別子を含む、追跡される病変の表示を構築し、該構築された表示を表示装置２４上に表示する。該表示は、例えば病変追跡データ保存部１８に存在する、既知の時間的な期間についての測定値を含んでも良い。
【００１９】
入力装置２６からの信号入力のような、欠損した測定値を見出す要求に応答して、文書解析エンジン３０は、１つ以上の追跡される病変の各欠損期間に対応するレポートを解析する。例えば、入力装置２６から受信されたコマンドに応答して、文書解析エンジン３０は、２つのレポート、即ち、２つの病変の欠損期間に対応する１月１日のレポートと、５月１２日のレポートと、を選択し、一方の病変は、１月１日及び５月１２日から値を欠損しており、第２の病変は、５月１２日のレポートから値を欠損している。文書解析エンジン３０は、該２つのレポートを解析する。
【００２０】
文書解析エンジン３０は、医療の文章からの文節、段落ヘッダ、及び／又は文を解析する。文書解析エンジン３０は、処理を容易化する所定の文節ヘッダ及び／又は段落ヘッダを用いても良い。文節及び段落ヘッダは、認識されて所定のセットに正規化される。例えば、文節ヘッダの所定のセットは、患者情報、臨床情報、手法、比較、所見及び印象を含む。他の例においては、段落ヘッダは、胸部、肺及び胸膜、縦隔及び門、腹部、肝臓、胆道、脾臓、腸、骨といった、解剖学的な識別子を含む。文節及び段落ヘッダは、ネスト的に又は階層的に関連していても良い。例えば、レポートの文章は、「肝臓、胆道：恐らく肥満性脂肪肝。肝区域７の被膜下部分に沿って僅かな低濃度軟組織の測定値が１．１×２．７ｃｍ。以前は３．２×１．３ｃｍ」を含み、文書解析エンジンによって、「肝臓、胆道：恐らく肥満性脂肪肝」、「肝区域７の被膜下部分に沿って僅かな低濃度軟組織の測定値が１．１×２．７ｃｍ」及び「以前は３．２×１．３ｃｍ」との文に解析され、「肝臓、胆道」がヘッダとして識別される。
【００２１】
文書解析エンジン３０は、ヘッダ認識を含む市販の製品又はその他の製品を用いて、規則ベース、機械学習、最大エントロピー又はその他の手法を用いて実装されても良い。文書解析エンジン３０は、文章の一部がファイル記述子又はメタデータの一部として利用可能でない場合、患者識別子及びレポートの時間的識別子を識別しても良い。文書解析エンジン３０は、レポートが基とする画像のような関連する画像を識別しても良い。
【００２２】
概念抽出エンジン３２は、解析された文における語句を認識し、ＭｅｔａＭａｐのような市販された製品を用いて、ＳＮＯＭＥＤ、ＵＭＬＳ又はＲａｄＬｅｘのような外部のオントロジーに該語句をマッピングする。例えば、解析された文から病変のラベルが認識され、オントロジーにマッピングされる。解析されたレポート断片の例を参照すると、該情報が肝臓及び／又は胆道に関するものであることを示す「肝臓、胆道」がオントロジーにマッピングされる。「低濃度」、「軟組織」、「被膜下」及び「肝区域」といった語句が、マッピングされた肝臓及び胆道に関するオントロジーにマッピングされる。
【００２３】
測定値エンジン３４は、解析されたテキストにおける測定値であってマッピングされた語句に関連する測定値を認識し、該認識された測定値を正規化する。該測定値は、数値について文字列として解析された文を検索するパターンマッチング及び／又は規則に基づいて認識される。測定値エンジン３４は、測定値の標準的な単位に測定値を正規化する。例えば、センチメートル（ｃｍ）又はインチ（ｉｎ）での病変の測定値は、ミリメートル（ｍｍ）又は追跡された特徴のために選択されたその他の単位に変換される。以上に示した解析された文の例「測定値が１．１×２．７ｃｍ」及び「以前は３．２×１．３ｃｍ」を参照すると、測定エンジンは２つの測定値「１．１×２．７ｃｍ」及び「３．２×１．３ｃｍ」を認識し、これら値が「１１×２７ｍｍ及び３２×１３ｍｍ」に正規化される。正規化された測定値の単位（例えばｍｍ）は、例えば病変追跡データ保存部１８に保存されたシステムパラメータとして選択可能であっても良い。測定値の単位のための表示パラメータは、ユーザ及び／又はコンピュータ装置２２のための構成設定に含められても良い。
【００２４】
時間分解エンジン３６は、各測定に関連する時間的な期間又は識別子を識別する。例えば、解析された文「肝臓病変の測定値が１．１×２．３ｃｍ、以前は０．６×１．２ｃｍ」において、第２の測定値は、例えば異なるレポートのような異なる時間的な識別子に時間的に関連付けられ、第１の測定値は、例えば現在のレポートのようなレポートの時間的識別子に関連付けられる。一実施例においては、時間分解エンジン３６は、例えば現在のレポートにおいて報告されている検査に対応する画像、又は先行する検査及び／又は比較のために用いられる相互参照されるレポートに対応する先行する参照画像のような、解析エンジンにより認識された画像の対応する時間的な期間を識別する。
【００２５】
一例においては、時間分解エンジン３６は、測定値が関連する検査又は調査を決定するようトレーニングされた分類部を含む。一実施例においては、該手法は、最大エントロピーモデルにより定義される統計決定レイヤを持つ正規表現（ＲＥ）を用いる。例えば、レポートされる測定値の順序、及び「以前の」といった付随する語が、測定値を同じレポートの時間的識別子又は異なるレポートとして統計的に分類するために用いられても良い。一実施例においては、時間分解エンジン３６は、例えば測定値が対応するレポートのような、レポートの時間的な識別子に従って、各測定値を分類する。
【００２６】
制御エンジン３８は、時間的に分解された測定値を各病変についての欠落期間と照合する。制御エンジン３８は、オントロジーに基づいて追跡された病変に対して、レポートされた病変の記述又はラベルを照合して、追跡された病変における対応する病変を識別する。制御エンジン３８は、例えばレポートされたもの及び現在追跡されたものではないものである、新たな又は欠落した病変を識別しても良い。制御エンジン３８は、時間的な分解、即ち欠落した測定値を含む追跡された時間的な期間に対応する測定値に対する識別された時間的な期間に基づいて、欠落した測定値に対して測定値を照合又は関連付けする。制御エンジン３８は、確認のため他の時間的識別子の他の測定値に、測定値を照合しても良い。例えば、先行する時間的識別子で識別された測定値が、測定値が正しいことを確認するため、及び／又は、例えば直接の照合又はオントロジーの照合のような、先行する測定値に対応する測定値が同じ病変を記述することを確認するために用いるために、追跡された病変測定値と比較される。
【００２７】
制御エンジン３８は、規則ベースの照合、又は、ランキング若しくは最尤推定のような、整合度を決定するための統計的な方法を利用する。制御エンジン３８は、照合がないことをレポートしても良い。例えば、測定値間の体積類似度、測定値が記述された文間の意味的類似度、同じ又は類似するヘッダを持つ段落において測定値が出現するか否か、及び、時間分解エンジン３６により識別された画像スライス情報を含む、種々のパラメータが、病変によって測定値をグループ化するために用いられても良い。一実施例においては、各グループ化に関連する類似度スコアが、例えば先行する検査を参照する測定値又は画像のような、各相互レポートリンクについての信頼度レベルを示す。
【００２８】
病変追跡ユニット２８は、制御エンジン３８により照合された欠損した測定値を含むよう、追跡された病変の表示を構築及び／又は修正する。該表示は、表示装置２２により表示され、太字又は強調表示された値及び／又は確認を求めるメッセージのような、欠落した測定値に対して追加された又は見出された測定値の識別子を含んでも良い。一実施例においては、入力装置２６による入力コマンドに応答して、病変追跡ユニット２８が、識別された病変を持つレポート断片を表示する。他の実施例においては、該応答は、レポートの文章において参照された、時間分解エンジン３６により時間的に分解された画像を含んでも良い。
【００２９】
種々のエンジン又はユニット２８、３０、３２、３４、３６、３８は、例えばソフトウェアのような、持続性のコンピュータ読み取り可能な記憶媒体又はコンピュータ読み取り可能なメモリに保存されたコンピュータ読み取り可能な命令を実行するように構成されたデータプロセッサ２０によって、適切に実施化される。データプロセッサ２０はまた、搬送波、信号又はその他の一時的な媒体によって搬送されるコンピュータ読み取り可能な命令を実行して、開示された手法を実行しても良い。
【００３０】
図３を参照すると、一人の患者の異なる時間に関連する測定値を持つ、３つの文章レポート断片の例が示されている。第１のレポート断片４０は、１月１日の時間的識別子４２によって識別された１月１日のレポートからのものであり、第２のレポート断片４４は、５月１２日の時間的識別子４６によって識別された５月１２日のレポートからのものであり、第３のレポート断片４８は、７月２日の時間的識別子５０によって識別された７月２日のレポートからのものである。各レポート断片は、１つの肝臓病変及び２つの脾臓病変の、３つの病変についての測定値を含む。レポートの時間的識別子に時間的に関連付けられた、測定値及び画像識別子は、下線を引かれ斜字体とされている。異なるレポートに時間的に関連する測定値及び画像識別子は、下線を引かれているが斜字体とはされていない。第１のレポート断片４０において、肝臓病変の測定値５２及び脾臓病変の測定値５４、５６、並びに第１の画像参照５８が、第１の時間的識別子４２に対応する。肝臓病変の他の測定値６０及び脾臓病変の他の測定値６２、６４は、図示又は示唆されていない異なる時間的識別子に対応する。
【００３１】
先行する時間的識別子の暗黙的な測定値６６が、第２のレポート断片４４に示されている。「This is unchanged（変化していない）」との文は、レポートの時間的識別子４６の測定値「２．７×１．１ｃｍ」、及び他の時間的識別子４２を持つ異なるレポートの測定値５２の、両方を参照する。時間的識別子は、日付としては示されている。時間的識別子は、時刻と日付との両方を含んでも良い。明示的な測定値６８、７０が、異なるレポートの測定値５４、５６と照合されても良い。該異なるレポートの測定値は、例えばレポート中の病変を参照する測定値のような特定の病変が追跡されている病変と同じであることを確認するため、及び／又は測定値の精度を確認するために、用いられても良い。
【００３２】
測定値７２は、レポートの時間的識別子又は先行する若しくは相互レポートの時間的識別子のような、画像参照７４を含んでも良い。画像参照７４はまた、特定の病変を確認するため及び／又は測定の精度を確認するために用いられても良い。画像参照７４は、画像データ保存部１４から対応する画像を取得し、見出された測定値が欠落した測定値に正しく対応していることを確認するため、測定値のデータ源を健康管理医に表示するために用いられても良い。
【００３３】
図４を参照すると、長期的所見表示システム１０の自動生成による欠落した所見の検出の表示の例８０が示されている。表示８０は、患者名のような患者識別情報８２と、英数字の患者識別子のような患者識別子と、を含む。該表示は、病変追跡データ保存部１８から取得された追跡された病変の特徴的な情報８４を含む。各追跡された病変８６は、病変識別子又はラベル８８と、一連の測定値９０を含み、各測定値９０は、例えば撮像／検査の日付又は日時のような、時間的識別子９２に対応する。測定値９０は、ＣＴスライス画像において測定された病変の最大の長さ、及び直交する最大の長さのような、１つ以上の値を含んでも良い。追跡された病変９０は、ボタンのような欠落測定値インジケータ９４によって示される、欠落した測定値を含む。
【００３４】
欠落した測定値は、レポートの時間的識別子から決定され、時間的識別子９６として表示されても良い。更なる又は欠落した測定値及び／又は病変は、例えばコンピュータメモリのようなスクラッチ領域に保存された選択された画像からの測定値を、健康管理医によって手動で追加されても良い。レポートの時間的識別子９６は、レポートデータ保存部１２におけるレポートから決定され、追跡された時間的な測定値９０と比較されて、１つ以上の時間的に示唆された測定値が欠測していることを決定する。一例においては、時間的識別子９６は代替として、時間的識別子９６に対応する１つ以上の画像からとられた、健康管理医によってスクラッチ領域に手動で追加された測定値を示す。健康管理医は、例えば「更新」ボタンを選択することのような、欠落した測定値のインジケータを選択することといった、入力装置２６による入力によって、欠落した測定値を見出すことができる。入力の受信に応答して、該システムは、例えば対応する時間的識別子を持つレポートを示す欠落した測定値の識別子９４の追跡された時間的な識別子９２のような、時間的な識別子に基づいて、対応するレポートの文章から欠落した測定値を見つけ出す。表示８０は、関連する若しくは見出された測定値、又は構築された新たな表示によって、更新される。該表示は、対応するレポート断片及び／又は参照される画像を表示することを含んでも良い。
【００３５】
「結果を保存する」ボタンのような、確認の識別子９８は、関連する測定値が病変追跡データ保存部１８に保存されるべきであることを確認するため呼び出される。例えば、健康管理医は入力装置２６を用いて「結果を保存する」ボタンを呼び出し、このことが信号をデータプロセッサ２０に送信する。欠落した測定値のインジケータ９４は、全ての欠落した測定値を見出すための単一の応答、及び／又は各欠落した測定値について別個に測定値を見出すための個別の応答を含んでも良い。確認の識別子９８は、同様に、全ての見つけ出された測定値を更新／保存する単一の応答、及び／又は選択された見つけ出された測定値を更新／保存する選択的な応答を含んでも良い。
【００３６】
一例においては、所見は、新たな及び／又は付加的な病変の識別を含む。例えば、追跡された病変データ保存部１８に対応する病変特徴情報が存在しない病変について、測定値が見出される。ディスプレイは、追加された病変及び見出された測定値を更新／保存する確認を伴って、該病変を追加しても良い。他の実施例においては、健康管理医は、ディスプレイを介して追跡された病変１８に病変を追加し、欠落した測定値の所見を要求しても良い。
【００３７】
図５を参照すると、長期的所見表示の自動生成を伴う、欠落した測定値を検出する方法の実施例が示されている。ステップ１００において、患者識別子が受信される。患者識別子は、患者に対応するレポート１２及び追跡された所見１８を識別する。患者識別子は、健康管理医により入力されても良く、及び／又は患者のリストから選択されても良い。
【００３８】
ステップ１０２において、欠落した測定値が識別される。該欠落した測定値の１つ以上のインジケータが、構築されたディスプレイに表示される。各レポート１２の時間的識別子が識別され、追跡された病変１８の時間的識別子と比較される。例えば対応する時間的識別子に応じた測定値が追跡された病変に存在しない、レポートの時間的識別子がある場所において、追跡された病変における欠落した測定値が識別される。該欠落した測定値は、例えば追跡された病変の１つよりも多い時間的識別子について欠落した測定値のような、複数の時間的識別子を含んでも良い。該欠落した測定値は、例えば或る時間的識別子についての全ての追跡された病変について欠落した１つ以上の病変、及び／又は、例えば或る時間的識別子についての幾つかの追跡された病変について欠落した部分的な測定値、を含んでいても良い。レポートデータ保存部１２及び病変追跡データ保存部１８からの追跡された病変データから、レポートが取得される。
【００３９】
欠落した測定値の所見を示唆する応答の受信に応じて、ステップ１０４において、１つ以上のレポートが文に解析される。文節及び段落ヘッダが識別される。レポートは、時間的識別子に基づく解析のため選択される。一実施例においては、各欠落した測定値の時間的識別子に対応する時間的識別子を持つレポートが選択される。他の実施例においては、各欠落した測定値の時間的識別子に対応する時間的識別子を持つレポートと、後続するレポートと、が選択され、例えば測定値を確認する及び／又は病変の実体を確認するための後続するレポートにおける参照となる。
【００４０】
ステップ１０６において、解析された文の句がオントロジーにマッピングされる。例えば、ヘッダがマッピングされ、病変の実体を決定するために用いられる句がマッピングされる。
【００４１】
ステップ１０８において、測定値が識別され正規化される。正規化された測定値は、追跡された病変の測定値に正規化される。例えば、追跡された病変の測定値がミリメートルで保存されている場合、センチメートル又はインチで示された測定値はミリメートルに変換されてても良い。例えば見出された測定値がどの病変に対応するかといった、測定値と対応するヘッダ及び文との間の関係が保存される。
【００４２】
ステップ１１０において、測定値の間の時間的な区別が分解される。測定値は、レポートの時間的識別子又は例えばレポートに跨る測定値のような別のレポートの時間的測定値に関連付けられる。解析された文の意味、体積情報、画像情報等の解析により、測定値は、レポートの時間的識別子に対応するものとして、又は以前のレポートの時間的識別子に対応するものとして、特定される。例えば、「以前には」又は「以前の」といった語の使用は、測定値が別のレポートの時間的識別子に該当することを示唆し得る。
【００４３】
ステップ１１２において、時間的に分解された測定値が、欠落した測定値に関連付けられる。該関連付けは、関連する又は見出された測定値を表示することを含んでも良い。例えば、図４を参照して説明される表示は、関連する測定値により更新されて、健康管理者の閲覧のために表示される。一実施例においては、関連する測定値の表示は、或る病変についての測定値を含む。一実施例においては、該表示は、該測定値を含む文節、段落又は文のような、レポートの断片を含む。関連する測定値は、高い輝度や太字等のように強調されても良い。該表示は、確認識別子を含んでも良い。
【００４４】
ステップ１１４において、確認が受信される。該確認は、追跡された病変データの保存が、関連する測定により更新されるべきであることを、健康管理医から示すものである。該確認は、見出された測定値の却下を含んでも良い。一実施例においては、該確認は、例えばレポートが欠落している場合、健康管理医が測定値を直接に入力する選択肢を含む。
【００４５】
ステップ１１６において、追跡された病変のデータ保存部１８が、該確認に基づいて、関連する測定値により更新される。追跡された病変のデータ保存部１８は、健康管理医の識別子、タイムスタンプ、又はその他のデータ追跡情報を含んでも良い。モジュールは、構成されたデータプロセッサ２０により実施化されても良いし、又は斯かるデータプロセッサ２０により実行されるステップであっても良い。
【００４６】
以上は、データプロセッサ２０により実行されたときに、データプロセッサ２０に以上に説明された動作を実行させる、コンピュータ読み取り可能な記憶媒体上に符号化された又は組み込まれたコンピュータ読み取り可能な命令によって、実装されても良い。更に、又は代替として、該命令の少なくとも１つが、信号、搬送波又はその他の一時的な媒体によって担持されても良い。
【００４７】
本発明は、好適な実施例を参照しながら説明された。以上の詳細な説明を読み理解する際に他のものへの変形及び変更が生じ得る。本発明は、添付される請求項又はその同等物の範囲内となる限りにおいて、斯かる変形及び変更を全て含むものと解釈されることが意図されている。
【図１】
0006623227.tif 000002
【図２】
0006623227.tif 000003
【図３】
0006623227.tif 000004
【図４】
0006623227.tif 000005
【図５】
0006623227.tif 000006